(57)【要約】【課題】かご扉の開閉機構が梁部材に当接することを抑えたエレベータを提供する。【解決手段】開口２００を有するかご本体２０、開口２００を開閉するかご扉２１、及び、かご扉２１を開閉駆動すると共にかご本体２０からその突出部位２２０がかご扉２１の開閉方向に突出する開閉機構２２、を有するかご２と、昇降路３と、カウンターウェイト４と、かご２とカウンターウェイト４とを連結するロープ５と、巻上機６と、垂直方向視において突出部位２２０と交差するように昇降路３の上部３０を横断すると共に、巻上機６を支持する梁部材７と、を備える。梁部材７は、垂直方向視において突出部位２２０と交差する交差部７１０を含む第一部位７１と、第一部位７１と隣接する第二部位７２とを含み、第一部位７１の下端７１１は、第二部位７２の下端７２１よりも上方に位置すると共に、かご２が最も上方に位置したときに突出部位２２０と当接しない位置にある。【選択図】図３
2019127359.tif 000002
【特許請求の範囲】
【請求項１】
開口を有するかご本体、かご本体の開口を開閉するかご扉、及び、該かご扉を開閉駆動すると共にかご本体からその一部である突出部位が前記かご扉の開閉方向に突出する開閉機構、を有するかごと、
前記かごが昇降する昇降路と、
前記かごと連動して前記昇降路内を昇降するカウンターウェイトと、
前記かごと前記カウンターウェイトとを連結するロープと、
前記ロープが巻きかけられるシーブを有し、該シーブを回転させることで前記かごを前記昇降路内において昇降させる巻上機と、
垂直方向視において前記突出部位と交差するように前記昇降路の上部を横断すると共に、前記巻上機を支持する梁部材と、
を備え、
前記梁部材は、垂直方向視において前記突出部位と交差する交差部を含む第一部位と、該第一部位と隣接する第二部位とを含み、
前記第一部位の下端は、前記第二部位の下端よりも上方に位置すると共に、前記かごが最も上方に位置したときに前記突出部位と当接しない位置にある、エレベータ。
【発明の詳細な説明】
【技術分野】
【０００１】
本発明は、巻上機を昇降路内上部に設置したエレベータに関する。
【背景技術】
【０００２】
エレベータは、例えば、かごと、かごが昇降する昇降路と、かごと連動して昇降路内を昇降するカウンターウェイトと、かごとカウンターウェイトとを連結するロープと、を備える。また、エレベータは、ロープが巻きかけられるシーブを有し、シーブを回転させることでかごを昇降路内において昇降させる巻上機も備える。
【０００３】
一般に、巻上機を昇降路内の上部に設置すると共に、昇降路の上側に機械室を有さないマシンルームレスエレベータも知られている（例えば、特許文献１参照）。このエレベータでは、巻上機が、例えば、昇降路の上部に設置されると共に、昇降路の奥行き方向において延びる梁部材に取り付けられる。また、このようなエレベータにおいて、かごは、開口を有するかご本体と、かご本体の開口を開閉するかご扉と、かご扉を開閉駆動する開閉機構を有する。かごの開閉機構は、例えば、かご扉を吊り下げるハンガーや、ハンガーの移動を案内するベルトやレール等を含む。そのため、かごの開閉機構の一部は、かご本体からかご扉の開閉方向に突出することがある。
【先行技術文献】
【特許文献】
【０００４】
【特許文献１】特開平０７−０１０４３４号公報
【発明の概要】
【発明が解決しようとする課題】
【０００５】
前記エレベータでは、かごが何らかの異常により最上階の乗り場を通過して最も上方に位置したときに、開閉機構の突出部位が梁部材に当接するおそれがある。
【０００６】
本発明は、かご扉の開閉機構が梁部材に当接することを抑えたエレベータを提供することを目的とする。
【課題を解決するための手段】
【０００７】
本発明に係るエレベータは、開口を有するかご本体、かご本体の開口を開閉するかご扉、及び、該かご扉を開閉駆動すると共にかご本体からその一部である突出部位が前記かご扉の開閉方向に突出する開閉機構、を有するかごと、前記かごが昇降する昇降路と、前記かごと連動して前記昇降路内を昇降するカウンターウェイトと、前記かごと前記カウンターウェイトとを連結するロープと、前記ロープが巻きかけられるシーブを有し、該シーブを回転させることで前記かごを前記昇降路内において昇降させる巻上機と、垂直方向視において前記突出部位と交差するように前記昇降路の上部を横断すると共に、前記巻上機を支持する梁部材と、を備え、前記梁部材は、垂直方向視において前記突出部位と交差する交差部を含む第一部位と、該第一部位と隣接する第二部位とを含み、前記第一部位の下端は、前記第二部位の下端よりも上方に位置すると共に、前記かごが最も上方に位置したときに前記突出部位と当接しない位置にある。
【０００８】
かかる構成によれば、かごが最も上方に位置したときにおいても、梁部材の第一部位の下端が開閉機構の突出部位と当接しないため、かご扉の開閉機構が梁部材に当接することが抑えられる。
【発明の効果】
【０００９】
本発明のエレベータによれば、かご扉の開閉機構が梁部材に当接することを抑えたエレベータを提供することができる。
【図面の簡単な説明】
【００１０】
【図１】図１は、本発明の一実施形態に係るエレベータの構成を説明するための模式図である。
【図２】図２は、同実施形態に係るエレベータにおける図１のＩＩ−ＩＩ線方向での模式断面図である。
【図３】図３は、同実施形態に係るエレベータにおける上部の拡大図である。
【図４】図４は、変形例に係るエレベータにおける上部の拡大図である。
【図５】図５は、変形例に係るエレベータにおける上部の拡大図である。
【発明を実施するための形態】
【００１１】
以下、本発明に係るエレベータの一実施形態について、図１〜図３を参照しつつ説明する。本発明に係るエレベータは、機械室を有さない所謂マシンルームレスエレベータである。このエレベータのかごは、開口を有するかご本体と、この開口を開閉するかご扉と、かご扉を開閉する開閉機構とを含んでいる。開閉機構は、例えば、かご扉を吊り下げるハンガーや、ハンガーの移動を案内するベルトやレール等を含む。そのため、開閉機構の一部は、かご本体からかご扉の開閉方向に突出する。このエレベータは、かごを昇降路内において昇降させる巻上機を備える。この巻上機は、昇降路内の上部において、昇降路内に固定された梁部材により支持されている。尚、図１は模式図であり、本実施形態のエレベータにおける各構成は、図２や図３に示すように配置されている。また、図３では、かご本体を仮想線で示している。
【００１２】
このエレベータでは、何らかの異常によりかごが最上階の乗り場を通過することがあり、この場合、かごは一定の位置（例えば、かごの上昇及び下降がガイドレールにより案内されている構成では、ガイドレールの上端の位置）で停止する。このようにかごが最も上方に位置したときであっても、梁部材の一部であり且つ開閉機構の突出する部位と垂直方向視において交差する部位の下端が、開閉機構の突出する部位と当接しない。
【００１３】
例えば、本実施形態に係るエレベータは、複数の階層を有する建物に設置されている。図１に示すように、エレベータ１は、かご２と、かご２が昇降する昇降路３と、かご２と連動して昇降路３内を昇降するカウンターウェイト４と、かご２とカウンターウェイト４とを連結するロープ５と、を備える。また、エレベータ１は、ロープ５が巻きかけられるシーブ６０を有する巻上機６と、巻上機６を支持する梁部材７とを備える。
【００１４】
昇降路３は、建物内においてＺ軸方向（垂直方向、上下方向）に延びている。カウンターウェイト４は、かご２のつり合い錘である。また、カウンターウェイト４は、上述のようにロープ５によりかご２と連結されているため、かご２と連動して昇降路３内を昇降する。具体的に、カウンターウェイト４は、かご２が上昇している場合には下降し、かご２が下降している場合には上昇する。巻上機６は、上述のシーブ６０に加えて、モータ（図示なし）と、このモータの回転速度及び回転方向を検知可能なエンコーダ（図示なし）と、を有する。また、巻上機６は、シーブ６０を回転させることで、かご２及びカウンターウェイト４を昇降させることが可能である。
【００１５】
かご２は、例えば、Ｚ軸方向において延びるガイドレールに案内されて昇降路３内を昇降し（Ｚ軸方向に移動し）、各階層に設けられた乗り場に対向する位置で停止可能である。また、かご２は、開口２００を有するかご本体２０と、かご本体２０の開口２００を開閉するかご扉２１と、かご扉２１を開閉駆動する開閉機構２２と、を有する（図１参照）。本実施形態のかご２は、何らかの異常により最上階の乗り場を通過してさらに上方に移動することがあり、この場合、最上階の乗り場よりも上方に位置する最も上方の位置（最も高い位置、例えば、ガイドレールの上端の位置）で停止する。このようにかご２が最も上方に位置するとき、図３に示すように、かご２の上部は梁部材７の下端の一部よりも上方に位置する。
【００１６】
かご本体２０は、例えば、かご２における天井、壁、床、及び、これらにより区画される空間を含む。開口２００は、かご本体２０の出入り口である。
【００１７】
かご扉２１は、例えば、二枚存在する。これら一対のかご扉２１は、Ｙ軸方向において開閉可能な両開き式のドアである。具体的に、一対のかご扉２１は、戸開時に互いに離れるようにＹ軸方向における外側に向かって移動し、戸閉時に互いに近づくようにＹ軸方向における内側に向かって移動する。
【００１８】
開閉機構２２は、かご本体２０からＹ軸方向に突出する突出部位２２０を有する。本実施形態のかご２において、開閉機構２２は、かご扉２１を吊り下げるハンガー、ハンガー等を移動させる駆動モータ、及び、ハンガーのＹ軸方向における移動を案内するベルト（例えば、無端ベルト）やレール等を含む。本実施形態の開閉機構２２は、かご本体２０の上部に設けられている。そのため、突出部位２２０は、かご本体２０の上部に設けられている。具体的に、突出部位２２０は、ベルトのＹ軸方向における外側に位置する部位やレールのＹ軸方向における外側に位置する部位により構成される。そのため、突出部位２２０は、かご本体２０からＹ軸方向における一方側に突出する部分と、かご本体２０からＹ軸方向における他方側に突出する部分と、を有する。
【００１９】
梁部材７は、昇降路３の上部３０に配置されている。この梁部材７は、図２に示すように、Ｚ軸方向視において、開閉機構２２の突出部位２２０と交差するように昇降路３の上部３０を横断している。本実施形態の梁部材７は、かご本体２０を避けた状態で、昇降路３の上部３０に一つ配置されている。また、本実施形態の梁部材７は、Ｘ軸方向視においてＨ形鋼、Ｉ形鋼、或いは、溝形鋼であると共に、かご本体２０の奥行き方向（Ｘ軸方向）において延びる棒状の部材である（図２、図３参照）。本実施形態の梁部材７は、かご本体２０よりもＹ軸方向における外側に配置されると共に、Ｘ軸方向において略直線状に延びている。
【００２０】
本実施形態の梁部材７のＺ軸方向における寸法は、一部において異なっている（図３参照）。この梁部材７のＸ軸方向における両端（梁部材７の延伸方向における両端）は、例えば、昇降路３を規定する部位に固定されている。また、本実施形態の梁部材７の上端７０１は、Ｘ軸方向に延び、Ｘ軸方向やＹ軸方向におけるいずれの部位においても、Ｚ軸方向において略同じ高さに位置する。
【００２１】
梁部材７は、Ｚ軸方向視において開閉機構２２の突出部位２２０と交差する交差部７１０を含む第一部位７１と、第一部位７１と隣接する第二部位７２とを含む。本実施形態の梁部材７は、第一部位７１と第二部位７２とで構成されている。また、本実施形態の梁部材７では、第一部位７１は、例えば、交差部７１０からＸ軸方向において両側に広がった部位である。さらに、本実施形態の梁部材７において、第二部位７２は、Ｘ軸方向において第一部位７１の両側にそれぞれ一つずつ配置されている。尚、第一部位７１のＺ軸方向における寸法は、第二部位７２のＺ軸方向における寸法よりも小さい。
【００２２】
第一部位７１の下端７１１は、第二部位７２の下端７２１よりも、Ｚ軸方向における上方に位置する。換言すると、第二部位７２の下端７２１は、第一部位７１の下端７１１よりもＺ軸方向における下方に突出している。また、第一部位７１の下端７１１は、かご２が最も上方に位置したときに突出部位２２０と当接しない位置にある。本実施形態の梁部材７では、第一部位７１の下端７１１、及び、第二部位７２の下端７２１は、例えば、Ｘ軸方向（水平方向）にそれぞれ延びている。
【００２３】
以上の構成により、本実施形態の梁部材７は、Ｙ軸方向視において一部がＺ軸方向の上方に欠けたような長尺状を有することにより、第一部位７１が突出部位２２０と当接しない構成を実現している。
【００２４】
以下、エレベータ１の効果について説明する。
【００２５】
エレベータ１では、かご２が最も上方に位置したときにおいても、梁部材７の第一部位７１の下端７１１が開閉機構２２の突出部位２２０と当接しない。
【００２６】
ところで、Ｚ軸方向における寸法がいずれの部位においても梁部材７の第二部位７２と略同じであり且つＹ軸方向視においていずれの部分も欠けていない長尺状をした梁部材を用いる場合、第一部位７１が突出部位２２０と当接することを防ぐためには、梁部材全体を上方（高い位置）に配置しなければならない。これに対して、本実施形態のエレベータ１では、梁部材７がＹ軸方向視において一部が欠けたような長尺状を有するため、前記いずれの部分も欠けていない梁部材と比べて、梁部材７を下方（低い位置）に配置することができる。これにより、エレベータ１のかご２が着床する最上階の床から昇降路３の頂部までの寸法であるオーバーヘッド寸法を小さくすることができる。
【００２７】
また、Ｚ軸方向における寸法がいずれの部位においても略同じであり且つＹ軸方向視においていずれの部分も欠けていない長尺状を有する梁部材を用いる場合、開閉機構２２の梁部材への当接を防止しするためには梁部材の下端の位置を高くしなければならないが、オーバーヘッド寸法を小さくするためには梁部材の上端の位置を低くする必要がある。この場合、梁部材のＺ軸方向における寸法が小さくなり、Ｘ軸方向視における断面積やＹ軸方向視における断面積が小さくなる。梁部材のＸ軸方向視における断面積やＹ軸方向視における断面積が小さいほど梁部材７の強度が小さくなるため、この梁部材の強度は小さくなる。これに対して、本実施形態の梁部材７は、Ｙ軸方向視において一部が欠けた長尺状を有するため、第二部位７２の下端７２１の位置が低くても、第一部位７１の下端７１１が第二部位７２の下端７２１よりも上方に位置するため、開閉機構２２の梁部材７への当接を防止することが可能であり、さらに、前記いずれの部分も欠けていない長尺状をした梁部材と比べて、梁部材７における第一部位７１以外の部位（第二部位７２）のＺ軸方向における寸法を大きくすることで、Ｘ軸方向視における断面積やＹ軸方向における断面積を大きくすることができ、梁部材７の強度も大きくできる。これにより、本実施形態の梁部材７では、開閉機構２２による当接を防止しつつ、巻上機６を安定的に支持することができる。
【００２８】
尚、本発明のエレベータ１は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００２９】
例えば、梁部材７は、昇降路３の上部３０に一つ配置されていたが、複数配置されてもよい。また、梁部材７は、Ｘ軸方向において略直線状に延びていたが、Ｘ軸方向やＹ軸方向やＺ軸方向に対して傾斜した状態でＸ軸方向において延びていてもよい。
【００３０】
上記実施形態の梁部材７では、第一部位７１が交差部７１０を含み且つ交差部７１０からＸ軸方向において両側に広がった部位であったが、第一部位７１は交差部７１０のみで構成されてもよい。
【００３１】
また、上記実施形態の梁部材７は、一部が欠けた長尺状であったが、図４に示すように、いずれの部位も欠けていない長尺状であってもよい。この場合、第一部位７１のＺ軸方向における寸法と、第二部位７２のＺ軸方向における寸法とは、略同じである。また、梁部材７の上端７０１の少なくとも一部は、Ｘ軸方向に対して傾斜した状態で延びている。第二部位７２の下端７２１の少なくとも一部も、Ｘ軸方向に対して傾斜した状態で延びていている。尚、第一部位７１の下端７１１も、同様に、Ｘ軸方向に対して傾斜した状態で延びてもよい。
【００３２】
さらに、上記実施形態の梁部材７が第一部位７１と第二部位７２とで構成されると共に、第二部位７２が第一部位７１のＸ軸方向における両側にそれぞれ一つずつ配置されていたが、図５に示すように、第二部位７２が第一部位７１のＸ軸方向における一方側に配置されると共に、第三部位７３が第二部位７２のＸ軸方向における他方側に配置されてもよい。第三部位７３は、例えば、第二部位７２に隣接する部位である。第三部位７３の下端７３１は、第二部位７２の下端７２１よりもＺ軸方向において上方に位置していてもよい。また、第三部位７３の下端７３１は、第一部位７１の下端７１１とＺ軸方向における略同じ高さに位置してもよい。
【００３３】
上記実施形態の開閉機構２２は、かご本体２０の上部に設けられていたが、かご本体２０の下部にも設けられていてもよいし、かご本体２０の下部のみに設けられていてもよい。開閉機構２２が、かご本体２０の下部に設けられている場合、突出部位２２０は、例えば、かご本体２０の下部に設けられることになる。また、開閉機構２２は、かご本体２０からＹ軸方向における一方側に突出する突出部位２２０と、かご本体２０からＹ軸方向における他方側に突出する突出部位２２０と、を有していたが、これらのうち（かご本体２０からＹ軸方向における一方側及び他方側にそれぞれ突出する突出部位２２０のうち）少なくとも一方を有していればよい。
【００３４】
一対のかご扉２１は、両開き式のドアであったが、片開き式のドアであってもよい。また、かご２は、二枚のかご扉２１を有していたが、一枚、又は、三枚以上の複数枚のかご扉２１を有していてもよい。
【００３５】
以上の構成であっても、エレベータ１において、かご２が最も上方に位置したときにおいても、梁部材７の第一部位７１の下端７１１が開閉機構２２の突出部位２２０と当接しないため、かご扉２１の開閉機構２２が梁部材７に当接することを抑えられる。
【符号の説明】
【００３６】
１…エレベータ、２…かご、２０…かご本体、２００…開口、２１…かご扉、２２…開閉機構、２２０…突出部位、３…昇降路、３０…上部、４…カウンターウェイト、５…ロープ、６…巻上機、６０…シーブ、７…梁部材、７１…第一部位、７２…第二部位、７３…第三部位、７０１…上端、７１０…交差部、７１１、７２１、７３１…下端
【図１】
2019127359.tif 000003
【図２】
2019127359.tif 000004
【図３】
2019127359.tif 000005
【図４】
2019127359.tif 000006
【図５】
2019127359.tif 000007